(57)【要約】      （修正有）【課題】肌の活性化をより効果的に行うことができる、光美容器具を提供する。【解決手段】肌に貼り付けることが可能なシート部材２１０と前記シート部材２１０に配置され、近傍の肌の状態を検出する肌状態センサ２２０と、前記シート部材２１０の、前記肌状態センサ２２０の位置と対応する位置に配置され、前記肌状態センサ２２０の検出情報に基づいて動作する発光素子ユニット２３０と、を有し、前記発光素子ユニット２３０は発光波長の異なる複数の発光素子を含む。【選択図】図１
2015142717.tif 000002
【特許請求の範囲】
【請求項１】
肌に貼り付けることが可能なシート部材と、
前記シート部材に配置され、近傍の肌の状態を検出する肌状態センサと、
前記シート部材の、前記肌状態センサの位置と対応する位置に配置され、前記肌状態センサの検出情報に基づいて動作する発光素子ユニットと、を有し、
前記発光素子ユニットは発光波長の異なる複数の発光素子を含む、
光美容器具。
【請求項２】
前記発光素子ユニットは、
発光を開始してから前記肌状態センサの検出情報の変化の度合いが、所定の閾値に達したことを条件として、前記発光を抑制または停止する、
請求項１に記載の光美容器具。
【請求項３】
前記肌状態センサは第１肌状態センサであり、
前記発光素子ユニットは第１発光素子ユニットであり、
前記シート部材は、前記シート部材の異なる位置に配置された複数の肌状態センサ含み、
前記複数の肌状態センサの各々は近傍の肌の状態を検出し、
前記シート部材は、前記シート部材の異なる位置に配置された複数の発光素子ユニットを含み、
前記複数の発光素子ユニットの各々は、前記複数の肌状態センサに含まれる少なくとも１つの肌状態センサの位置に対応する位置に配置され、
前記複数の発光素子ユニットの各々は対応する少なくとも１つの肌状態センサの検出情報に基づいて動作し、
前記複数の肌状態センサは第１肌状態センサを含み、
前記複数の発光素子ユニットは前記第１発光素子ユニットを含む、
請求項２に記載の光美容器具。
【請求項４】
前記シート部材は、
顔の所定の位置に取り付けられ、
前記第１発光素子ユニットは、前記シート部材が前記所定の位置に取り付けられた状態において、肌の活性化を促す所定の光を、前記第１発光素子ユニットの近傍の肌に照射し、
前記第１肌状態センサは、前記シート部材が前記所定の位置に取り付けられた状態において、前記近傍の肌の状態として、前記肌の血流値および前記肌の温度のうち少なくとも１つを検出し、
前記所定の閾値は、対応する前記検出情報の変化の前の前記肌の状態を基準として、前記複数の発光素子毎に定まる値である、
請求項３に記載の光美容器具。
【請求項５】
前記シート部材は第１領域と、前記第１の領域と異なる第２の領域を含み、
前記第１領域は前記顔の瞼部分に対応し、
前記複数の発光素子は第２発光素子ユニットと第３発光素子ユニットを含み、
前記第２発光素子ユニットは前記第１領域に配置され、
前記第３発光素子ユニットは前記第２領域に配置され、
前記第２発光素子ユニットに含まれる第２発光素子の光の強度は、前記第３発光素子ユニットに含まれる前記第２発光素子に対応する第３発光素子光の強度よりも小さく、
前記第２発光素子に対応する所定の閾値は、前記第３発光素子に対応する所定の閾値よりも小さい、
請求項４に記載の光美容器具。
【請求項６】
前記複数の発光素子の各々は、
前記発光を停止する際、前記光の強度を漸減させる、
請求項４に記載の光美容器具。
【請求項７】
前記シート部材は複数の分割領域を含み
前記複数の分割領域の各々は、前記複数の肌状態センサに含まれる少なくとも１つの肌状態センサを含み、
前記複数の分割領域の各々は、前記複数のユニットに含まれる少なくとも１つの発光素子ユニットを含み、
動作決定部は分割領域に含まれる発光素子ユニットの動作を、前記分割領域に含まれる肌状態センサの検出情報に基づいて決定する動作決定部を含む、
請求項４に記載の光美容器具。
【請求項８】
前記発光素子ユニットは、
青色発光ＬＥＤを含み、
前記肌状態センサは、
前記シート部材が前記所定の位置に取り付けられ、前記青色発光ＬＥＤが発光した状態において、前記肌の状態として、前記肌の色調を検出し、
前記動作決定部は、
前記色調に基づいて、前記発光素子ユニットの発光強度を決定する、
請求項７に記載の光美容器具。
【請求項９】
前記シート部材は前記動作決定部にコネクタおよびケーブルで着脱可能に接続された、請求項７に記載の光美容器具。
【請求項１０】
肌に貼り付けることが可能なシート部材に配置された肌状態センサ近傍の肌の状態を検出するステップと、
前記シート部材の、前記肌状態センサの位置と対応する位置に配置された発光素子ユニットを、対応する前記肌状態センサの検出情報に基づいて動作させるステップと、を有する、
光美容方法。
【発明の詳細な説明】
【技術分野】
【０００１】
本開示は、光美容器具および光美容方法に関する。
【背景技術】
【０００２】
従来、レンズから導光された光を皮膚に照射する美容装置（特許文献１を参照）や、マスクを介して顔面に向けて異なる色相の光を出射する光源部を含む美顔用光マスク（参考文献２を参照）が知られている。
【先行技術文献】
【特許文献】
【０００３】
【特許文献１】特開２０１３−１５４２２９号公報
【特許文献２】特開２００５−２７７０２号公報
【特許文献３】特開２０１３−１６８５７５号公報
【特許文献４】特開２０１１−４１７０６号公報
【特許文献５】特開２００７−３００１１２号公報
【特許文献６】特開２００９−４８８３７号公報
【特許文献７】国際公開第２０１３／１５１１２８号
【非特許文献】
【０００４】
【非特許文献１】清倉孝規、美野真司、嶋田純一、「常時携帯可能な超小型レーザ血流計」、ＮＴＴ技術ジャーナル  ２００５．１１、日本電信電話株式会社（ＮＴＴマイクロシステムインテグレーション研究所）、Ｐ．２５−２７
【非特許文献２】相原聡、久保田節、「有機撮像デバイスの研究動向」、ＮＨＫ技研Ｒ＆Ｄ  Ｎｏ．１３２、ＮＨＫ放送技術研究所、２０１２年３月、ＰＰ．４−１１
【発明の概要】
【０００５】
しかしながら、上記従来の構成では、肌の活性化を効果的に行うことは困難であった。
【０００６】
本開示の非限定的な例示的実施形態は、肌の活性化をより効果的に行うことができる、光美容器具を提供する。
【０００７】
本開示の実施形態の更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【０００８】
本開示技術の一般的な一態様に係る光美容器具は、肌に貼り付けることが可能なシート部材と前記シート部材に配置され、近傍の肌の状態を検出する肌状態センサと、前記シート部材の、前記肌状態センサの位置と対応する位置に配置され、前記肌状態センサの検出情報に基づいて動作する発光素子ユニットと、を有し、前記発光素子ユニットは発光波長の異なる複数の発光素子を含むことを特徴とする。
【０００９】
なお、本開示の一般的な態様および具体的な態様は、方法という形で実現することができる。
【００１０】
本開示の光美容器具は、肌の活性化をより効果的に行うことができる。
【図面の簡単な説明】
【００１１】
【図１】本開示の実施の形態１に係る光美容器具の構成の一例を示す図
【図２】本開示の実施の形態２に係る光美容器具の外観の一例を示す図
【図３】本実施の形態２におけるシートデバイスの構成の一例を示す図
【図４】本実施の形態２における肌状態センサの概略構造の一例を示す図
【図５】本実施の形態２に係る光美容器具の機能構成の一例を示す図
【図６】本実施の形態２におけるブロックの配置の一例を示す図
【図７】本実施の形態２における制御ルールテーブルの内容の一例を示す図
【図８】本実施の形態２に係る光美容器具の動作の一例を示すフローチャート
【図９】本実施の形態２におけるシートデバイスの断面の一例を示す図
【発明を実施するための形態】
【００１２】
（基礎となった知見）
従来、光を肌に照射することによって肌の活性化を図る美容器具（以下「光美容器具」という）が存在する（例えば、特許文献１および特許文献２参照）。ここで、肌の活性化とは、例えば、血液循環の促進、繊維芽細胞の活性化、リンパ循環の促進、美白化、活性酸素発生の沈静化、微細血管の拡張、新陳代謝の促進、組織再生能力の増加、筋肉の弛緩を含む概念である。
【００１３】
特許文献１に記載の光美容器具は、手で握ることができる円筒状の本体部分の端部に、光を出射する照射口を配置している。また、特許文献２に記載の光美容器具は、顔全体を覆うフェイスシートに、多数のＬＥＤ（light emitting diode）素子を配置している。
【００１４】
ユーザは、特許文献１に記載の光美容器具の照射口を、肌を活性化したい部分に当てる。あるいは、ユーザは、特許文献２に記載のフェイスシートを、顔全体に被せる。これにより、特許文献１および特許文献２に記載の技術（以下「従来技術」という）は、肌を活性化し、肌の状態を改善することができる。
【００１５】
ところで、光美容器具が肌に対して照射すべき光の強度（放射照度および照射時間）は、シミの濃さ、くすみの度合い、あるいは繊維芽細胞の活性化の度合い等の、肌の状態に応じて異なる。例えば、シミがより濃い部分には、より高い強度で光を当てる必要がある。一方で、十分に肌が活性化されている部分に対して、過剰に光を照射することは好ましくない。したがって、肌の各部分には、弱過ぎず、かつ、強過ぎない、適切な強度での光照射を行うことが望ましい。
【００１６】
しかしながら、肌の状態は不均一であるのが通常であり、肌全体に対して適切な光照射が行われるようにすることは難しい。また、部分毎に個別に光照射を行うにしても、肌のどの部分にどの程度の光の照射を行えば良いのかを、的確に判断することは難しい。すなわち、従来技術では、肌の活性化を効果的に行うことは困難である。
【００１７】
そこで、本開示の光美容器具は、肌に貼り付けることが可能なシート部材と前記シート部材に配置され、近傍の肌の状態を検出する肌状態センサと、前記シート部材の、前記肌状態センサの位置と対応する位置に配置され、前記肌状態センサの検出情報に基づいて動作する発光素子ユニットと、を有し、前記発光素子ユニットは発光波長の異なる複数の発光素子を含む。
【００１８】
これにより、本開示の光美容器具は肌の活性化をより効果的に行うことができる。
【００１９】
以下、本開示の各実施の形態について、図面を参照して詳細に説明する。
【００２０】
（実施の形態１）
本開示の実施の形態１は、本開示の基本的態様の一例である。
【００２１】
図１は、本実施の形態に係る光美容器具の構成の一例を示す図である。
【００２２】
図１において、光美容器具１００は、シート部材２１０、第１〜第Ｍ（複数）の肌状態センサ２２０１〜２２０Ｍ、および、第１〜第Ｎ（複数）の発光素子ユニット２３０１〜２３０Ｎを有する。
【００２３】
シート部材２１０は、肌に貼り付けることが可能な部材である。
【００２４】
第１〜第Ｍの肌状態センサ２２０１〜２２０Ｍは、シート部材２１０に配置され、第１〜第Ｍの肌状態センサ２２０１〜２２０Ｍのそれぞれは近傍の肌の状態を検出する。第１〜第Ｍの肌状態センサ２２０１〜２２０Ｍは、シート部材２１０の異なる位置に配置される。
【００２５】
第１〜第Ｎの発光素子ユニット２３０１〜２３０Ｎは、シート部材２１０の、第１〜第Ｍの肌状態センサ２２０１〜２２０Ｍの位置とそれぞれ対応する位置に配置され、対応する肌状態センサの検出情報に応じてそれぞれ動作する。発光素子ユニットは発光波長の異なる複数の発光素子を含む。発光素子ユニットは、発光を開始してからの、対応する肌状態センサの検出情報結果の変化の度合いが、所定の閾値に達したことを条件として、発光を抑制または停止してもよい。
【００２６】
このような光美容器具１００は、肌の各部分に対して、その部分の肌状態に応じた光照射を行うことができるので、肌の活性化を効果的に行うことができる。
【００２７】
なお、光美容器具１００は、シート部材２１０に、複数の肌状態センサを配置するのではなく、１つの肌状態センサのみを配置していてもよい。また、光美容器具１００は、シート部材２１０に、複数の発光素子ユニットを配置するのではなく、１つの発光素子ユニットのみを配置していてもよい。
【００２８】
（実施の形態２）
本開示の実施の形態２は、本開示を、顔全体を覆うフェイスシートに適用した場合の、具体的態様の一例である。
【００２９】
＜光美容器具の外観および構成＞
まず、本実施の形態にかかる光美容器具の外観および構成について説明する。
【００３０】
＜光美容器具の外観＞
図２は、本実施の形態に係る光美容器具の外観の一例を示す図である。図２（Ａ）は、光美容器具を側方から見たときの外観を示す。図２（Ｂ）は、光美容器具を正面から見たときの外観を示す。
【００３１】
図２に示すように、光美容器具１００は、シートデバイス２００および制御部３００を有する。
【００３２】
シートデバイス２００は、顔、両耳、顎下部分（以下、適宜、「顔」と総称する）、および首の表面を覆う立体形状を有し、伸縮性および柔軟性を有するシート部材を母材としたデバイスである。母材のシート部材としては、例えば、アクリロイル基末端ウレタンポリマーおよびアクリル系モノマーを含有するエネルギー線硬化性組成物の硬化物（特許文献３参照）を採用することができる。
【００３３】
シートデバイス２００は、目を閉じたときの目の形状に対応する切れ込みと、鼻の穴に対応する開口部とが設けられている。すなわち、シートデバイス２００の形状は、一般的なフェイスシートと比べて、上瞼、下瞼、唇、耳、顎下、および首部分も覆う点に、特徴を有する。
【００３４】
シートデバイス２００は、顔の所定の位置に装着されると、表面張力により、顔全体の肌の表面に密着した状態を維持することができるようになっている。十分な密着性を確保するために、スプリットガム、シリコン接着剤、あるいはラテックス接着剤等の、生体適合性のある粘着剤が併用されてもよい。また、シートデバイス２００は、顔の大きさの違いに合わせて、複数のサイズから選択できることが望ましい。
【００３５】
シートデバイス２００を構成するシート部材の、顔に密着する側の表面には、複数の肌状態センサおよび複数の発光素子ユニット（図示せず）が、配置されている。複数の肌状態センサおよび複数の発光素子ユニットの配置を含むシートデバイス２００の詳細な構成については、後述する。
【００３６】
制御部３００は、プラスチック等の素材から成る筐体により保護された装置部であり、ケーブル４００を介して、シートデバイス２００に接続されている。より具体的には、制御部３００は、シートデバイス２００の各第１〜第Ｍの肌状態センサ２２０１〜２２０Ｍと接続されている。制御部３００は、シートデバイス２００の各第１〜第Ｎの発光素子ユニット２３０１〜２３０Ｎと接続されている。なお、ケーブル４００は、ユーザの服のポケットに制御部３００を収納できる程度の長さを有することが望ましい。
【００３７】
また、シートデバイス２００と制御部３００はコネクタ４０１およびケーブル４００を介して着脱可能な構成とすることが望ましい。かかる構成によってシートデバイス２００をユーザが使用する度に新たなシートデバイスと交換することが可能となる。
【００３８】
＜シートデバイスの構成＞
図３は、シートデバイス２００の構成の一例を示す図である。なお、ここでは、シートデバイス２００の全体のうち代表的な部分のみを図示する。
【００３９】
図３において、シートデバイス２００は、シート部材２１０に、肌状態センサ２２０および発光素子ユニット２３０が埋め込まれた構成を有する。
【００４０】
肌状態センサ２２０は、近傍の肌の状態を検出する。本実施の形態において、肌状態センサ２２０は、近傍の肌の皮膚毛細血管の血流値を計測する、血流センサである。肌状態センサ２２０の血流値検出面は、シート部材２１０のうち肌に接触する面において露出している。
【００４１】
発光素子ユニット２３０は発光波長の異なる複数の発光素子を含む。本実施の形態では発光素子ユニット２３０は、黄色ＬＥＤ素子である発光素子２３１ｙ、赤色ＬＥＤ素子である発光素子２３１ｒ、近赤外ＬＥＤ素子である発光素子２３１ｎ、および青色ＬＥＤ素子である発光素子２３１ｂを含む。各発光素子２３１ｙ、２３１ｒ、２３１ｎ、２３１ｂの発光面は、シート部材２１０のうち肌に接触する面において露出している。
【００４２】
複数の肌状態センサの各々は、複数の発光素子ユニットと対応するようにしてもよい。
【００４３】
黄色ＬＥＤ素子である発光素子２３１ｙは、波長５７０ｎｍ〜５９０ｎｍの黄色域の光を出力し、例えば、シートデバイス２００の肌に密着する側の面において、０.１ｍＷ／ｃｍ２程度の放射照度が得られるように、構成および配置されている。
【００４４】
赤色ＬＥＤ素子である発光素子２３１ｒは、波長６２０ｎｍ〜７５０ｎｍの赤色域の光を出力し、例えば、シートデバイス２００の肌に密着する側の面において、１ｍＷ／ｃｍ２程度の放射照度が得られるように、構成および配置されている。
【００４５】
近赤外ＬＥＤ素子である発光素子２３１ｎは、波長８００ｎｍ〜１０００ｎｍの近赤外域の光を出力し、例えば、シートデバイス２００の肌に密着する側の面において、１ｍＷ／ｃｍ２程度の放射照度が得られるように、構成および配置されている。
【００４６】
青色ＬＥＤ素子である発光素子２３１ｂは、波長４４０ｎｍ〜４９０ｎｍの青色域の光を出力し、例えば、シートデバイス２００の肌に密着する側の面において、１ｍＷ／ｃｍ２程度の放射照度が得られるように、構成および配置されている。
【００４７】
発光素子の発光色（波長範囲）および照射量と、肌に及ぼす効果との関係については、様々な研究結果が得られている（例えば、特許文献４参照）。
【００４８】
黄色域の光を肌に照射すると、リンパ循環および美白化が促進される。したがって、黄色ＬＥＤ素子である発光素子２３１ｙを発光させると、シミおよびくすみの軽減および毛穴収縮の効果が得られる。
【００４９】
赤色域の光を肌に照射すると、血液循環およびコラーゲン生成が促進され、繊維芽細胞が活性化される。したがって、赤色ＬＥＤ素子である発光素子２３１ｒを発光させると、皺、弛みの軽減の効果が得られる。
【００５０】
近赤外域の光を肌に照射すると、微細血管の拡張、血液循環の促進、新陳代謝の強化、組織再生能力の増加、筋肉の弛緩、およびコラーゲン生成の促進等の効果がある。したがって、近赤外ＬＥＤ素子である発光素子２３１ｎを発光させると、法令線の軽減、皮膚のリフトアップ、および小皺の軽減の効果が得られる。
【００５１】
青色域の光を肌に照射すると、活性酸素の発生が沈静化され、殺菌効果が得られる。したがって、青色ＬＥＤ素子である発光素子２３１ｂを発光させると、にきびや吹き出物を軽減する効果が得られる。
【００５２】
本開示で使用する肌状態センサおよび発光素子は、できるだけ小型であることが望ましい。小型の肌状態センサとしては、例えば、非特許文献１に記載の血流センサを採用することができる。かかる血流センサを構成するレーザダイオードおよびフォトトランジスタのうち、フォトトランジスタについては、特許文献５に記載の、高分子系の薄膜トランジスタ（thin film transistor）による有機フォトトランジスタを採用することができる。
【００５３】
また、小型の発光素子としては、例えば、特許文献６に記載の、高分子ポリマーを利用し、印刷によって作成される、有機ＬＥＤ素子を採用することができる。
【００５４】
＜肌状態センサの構成＞
図４は、有機薄膜トランジスタを用いた場合の肌状態センサ２２０の概略構造の一例を示す図である。
【００５５】
図４に示すように、肌状態センサ２２０は、伸縮性母材５３１の表面に配置されたゲート電極層５３２の上に、ゲート絶縁層５３３および有機分子層５３４を積層した構成を有する。また、肌状態センサ２２０は、有機分子層５３４の表面に、ソース電極５３５およびドレイン電極５３６を離隔して配置した構成を有する。
【００５６】
なお、本実施の形態において、シートデバイス２００には、Ｍ個の肌状態センサ２２０１〜２２０Ｍが配置されているものとする。シート部材２１０の一部は、肌状態センサの伸縮性母材を構成していてもよい。
【００５７】
＜シートデバイスの制御単位＞
本実施の形態において、シートデバイス２００の動作は、シートデバイス２００を複数の領域に分割した分割領域毎に、制御される。以下、シートデバイス２００の各分割領域orシートデバイス２００の各制御単位を、「ブロック」という。
【００５８】
図５は、シートデバイス２００におけるブロックの配置の一例を示す図であり、図２（Ａ）に対応するものである。
【００５９】
図５に示すように、シートデバイス２００には、顔全体を細かく分割した領域に対応する、複数のブロック、例えばＬ個のブロック５４０１〜５４０Ｌが設定されている。例えば、額中央に対応するブロックと、右目の上瞼に対応するブロックとが存在する。したがって、シートデバイス２００は、額中央と、右目の上瞼とに対して、発光のオンオフや発光強度を、個別に制御することができる。また、シートデバイス２００は右目の瞼に対応するブロック５４０iと、左目の瞼に対応するブロック５４０jを含んでもよい。
【００６０】
瞼についても光照射を行うのは、以下の理由による。瞼は、皮膚が薄く、瞬きにより常に筋肉運動が頻繁に行われているため、筋肉の衰えによる皺ができ易い部位である。また、特に女性の場合、瞼は、濃い目のメイクアップが施される部位であり、クレンジングの際の摩擦によるダメージを受けやすく、皺、弛み、および乾燥が発生し易い部位である。このため、瞼の皮膚は、光照射による活性化を行う意義が非常に高い。
【００６１】
シートデバイス２００における肌状態センサおよび発光素子ユニットの配置密度は、一様であってもよいし、ブロック毎に異なってもよいし、ブロック内において異なってもよい。
【００６２】
また、Ｌ個のブロックの各々には、複数の肌状態センサが配置されているものとする。なお、ブロックの個数および配置は、図５に示す例に限定されない。各ブロックは、少なくとも１つの発光素子ユニットを含んでもよい。また、各ブロックに含まれる発光素子ユニットの種類and/or個数は任意に決定してもよい。各ブロックに含まれる発光素子ユニットの種類and/or個数が異なっていてもよい。各ブロックに含まれる発光素子ユニットの種類and/or個数は同じでもよい。
【００６３】
＜光美容器具の機能構成＞
図６は、光美容器具１００の機能構成の一例を示す図である。
【００６４】
図６において、光美容器具１００は、シートデバイス２００に配置された第１〜第Ｍの肌状態センサ２２０１〜２２０Ｍおよび第１〜第Ｎの発光素子ユニット２３０１〜２３０Ｎと、制御部３００に配置された情報格納部３１０および動作決定部３２０とを有する。
【００６５】
情報格納部３１０は、各ブロック（図５参照）に、どの肌状態センサおよび発光素子ユニットが属するか、および、どのような制御を適用するか、を記述したテーブル（以下「制御ルールテーブル」という）を、予め格納している。
【００６６】
図７は、制御ルールテーブルの内容の一例を示す図である。
【００６７】
図７に示すように、制御ルールテーブル５５０は、ブロックの識別情報５５１に対応付けて、当該ブロックに配置された肌状態センサの識別情報５５２および発光素子ユニットの識別情報５５３を、記述している。また、制御ルールテーブル５５０は、ブロックの識別情報５５１に対応付けて、閾値パラメータ５５４が記述されている。
【００６８】
閾値パラメータ５５４は、光照射を停止すべきか否かの判定に用いられるパラメータであり、光照射による肌の活性化が十分に行われ、かつ、光の照射が過剰になる前の状態に対応する値である。例えば、閾値パラメータ５５４は、光照射による血流値の増加の上限値を、血流値初期値に対する増加分の比率で示す値である。閾値パラメータ５５４は、第１〜第Ｌのブロック５４０１〜５４０Ｌの全てについて同一の値でもよいし、ブロック毎に異なっていてもよい。
【００６９】
図６の動作決定部３２０は、制御部３００とシートデバイス２００とを接続するケーブル４００およびシートデバイス２００に埋め込まれたケーブル（図示せず）を介して、第１〜第Ｍの肌状態センサ２２０１〜２２０Ｍおよび第１〜第Ｎの発光素子ユニット２３０１〜２３０Ｎのそれぞれに接続されている。すなわち、動作決定部３２０は、各第１〜第Ｍの肌状態センサ２２０１〜２２０Ｍに対して制御信号を出力してその動作を制御し、各第１〜第Ｍの肌状態センサ２２０１〜２２０Ｍから出力される検出値を入力することができる。また、動作決定部３２０は、各第１〜第Ｎのユニット２３０１〜２３０Ｎに対して制御信号を出力してその動作を制御することができる。
【００７０】
動作決定部３２０は、シートデバイス２００のブロック毎に、当該ブロックに配置された肌状態センサの検出値に基づいて、当該ブロックに配置された発光素子ユニットの動作を決定する。
【００７１】
より具体的には、動作決定部３２０は、まず、指定された発光素子ユニットを発光させ、ブロック毎に、そのブロックに属する複数の肌状態センサの検出結果の平均値（以下「ブロック検出値」という）を、繰り返し取得する。なお、ブロックが１つの肌検出センサのみを含む場合は、平均値を算出する必要はない。そして、動作決定部３２０は、発光を開始してからのブロック検出値の変化の度合いが、所定の閾値に達したか否かを、逐次判定する。なお、平均値を用いるのは、より信頼性の高いデータを得るためである。そして、動作決定部３２０は、ブロック検出値が所定の閾値を超えたブロックが存在する場合、当該ブロックに属する発光素子ユニットの発光を停止又は、抑制させる。
【００７２】
所定の閾値は、光照射が開始される前のブロック検出値と、制御ルールテーブル５５０に記述された閾値パラメータ５５４とから決定される値であり、光照射による肌の活性化が過剰に行われることを防ぐのに有効な値である。すなわち、動作決定部３２０は、ブロック毎に、適切な強度で光照射が行われるように、各発光素子ユニットの動作を制御する。所定の閾値の詳細については後述する。
【００７３】
なお、制御部３００は、図示しないが、例えば、ＣＰＵ（central processing unit）、制御プログラムを格納したＲＯＭ（read only memory）等の記憶媒体、およびＲＡＭ（random access memory）等の作業用メモリを有する。この場合、制御部３００の各部の機能は、ＣＰＵが制御プログラムを実行することにより実現される。
【００７４】
また、制御部３００は、図示しないが、電源部と、キースイッチ等の操作部とを有する。電源部は、上記ＣＰＵおよびシートデバイス２００を動作させるための電源を供給する。操作部は、ユーザから、光照射を開始させる操作を含む各種操作を受け付ける。
【００７５】
このような構成により、光美容器具１００は、肌の各部分に対し、その部分の状態に応じた適切な強度で、光照射を行うことができる。
【００７６】
＜光美容器具の動作＞
次に、光美容器具１００の動作について説明する。
【００７７】
図８は、光美容器具１００の動作の一例を示すフローチャートである。
【００７８】
光美容器具１００は、ユーザの顔にシートデバイス２００が装着された状態で、ユーザにより動作開始を指示する操作が行われると、以下に説明する処理を開始する。
【００７９】
なお、光美容器具１００は、ユーザ操作により、どのような波長の光を照射するか、つまり、どのような効果を狙った光照射を行うかについての選択を、受け付けることが望ましい。ここでは、黄色域、赤色域、近赤外域、および青域を含む光の発光、つまり、発光素子ユニット２３０の全ての発光素子２３１ｙ、２３１ｒ、２３１ｎ、２３１ｂ（図３参照）を発光させる操作が行われたものとする。
【００８０】
そして、ステップＳ１１００において、第１〜第Ｍの肌状態センサ２２０１〜２２０Ｍは、それぞれ、光照射を行う前の血流値を計測し、計測結果を動作決定部３２０へ出力する。動作決定部３２０は、各ブロックのブロック検出値を算出し、算出した値（以下「ブロック検出初期値」という）を記録する。また、第１〜第Ｎの発光素子ユニット２３０１〜２３０Ｎは、それぞれ、発光（肌への光照射）を開始する。なお、光照射の開始直後から血流が変化するわけではないので血流値の観測は光照射の直後から開始するのでも構わない。
【００８１】
なお、各発光素子ユニットの発光開始時の放射照度および最大照射時間は、同一でもよいし、異なっていてもよい。例えば、瞼は、顔の他の部分に比べて、皮膚が薄く、その下には眼球がある。したがって、特に皮膚透過力が高い近赤外域や赤色域の光については、瞼に対応するブロックの放射照度を、他のブロックに比べてより低くする（例えば、１０分の１の放射照度にする）ことが望ましい。放射照度の制御は、例えば、動作決定部３２０が、各発光素子ユニットへ供給する電流を制御することにより、行われる。
【００８２】
また、瞼に対応するブロックの照射時間については、最大照射時間を他のブロックよりも短くしたり、所定の閾値を低く設定することが望ましい。
【００８３】
このようにして光照射が開始されると、肌は、光の波長と強度（放射照度および照射時間）に応じて活性化する。その活性化による肌の状態の変化は、例えば、血流値の変化として現れる。
【００８４】
そして、ステップＳ１２００において、動作決定部３２０は、光照射中のブロック５４０の中から１つブロックを選択する。なお、動作決定部３２０は、後述するステップＳ１８００に処理が移行する毎の１区間を、１つの処理の周期として扱う。
【００８５】
そして、ステップＳ１３００において、選択中のブロックの全ての肌状態センサに対して血流値を再び計測させる。動作決定部３２０は、新たに得られた計測値から、ブロック検出値を算出する。なお、ブロックが１つの肌検出センサのみを含む場合は、平均値を算出する必要はない。そして、動作決定部３２０は、選択中のブロックについて、ブロック検出初期値と新たに算出されたブロック検出値（初期値）との差分（以下「検出値差分」という）を算出する。
【００８６】
そして、ステップＳ１４００において、動作決定部３２０は、選択中のブロックに対応する閾値パラメータ５５４を、制御ルールテーブル５５０から取得する（図７参照）。動作決定部３２０は、選択中のブロックのブロック検出初期値および閾値パラメータ５５４に基づいて、検出値差分の閾値を算出する。
【００８７】
例えば、閾値パラメータ５５４が、「４０％」という、血流値初期値に対する増加分のパーセンテージを示す値であったとする。この場合、動作決定部３２０は、閾値は、ブロック検出初期値に、閾値パラメータ５５４の値を１００で除した値である「０.４」を乗じて、閾値を算出する。
【００８８】
そして、動作決定部３２０は、ステップＳ１３００において算出した検出値差分が、算出した閾値（所定の閾値）を超えたか否かを判断する。動作決定部３２０は、検出値差分が所定の閾値を超えていない場合（Ｓ１４００：ＮＯ）、処理を後述のステップＳ１６００へ進める。また、動作決定部３２０は、検出値差分が所定の閾値を超えた場合（Ｓ１４００：ＹＥＳ）、処理をステップＳ１５００へ進める。
【００８９】
なお、検出値差分が所定の閾値に達していない場合とは、つまり、光照射による肌の活性化がまだ十分に行われていない状態である。また、検出値差分が所定の閾値に達した場合とは、つまり、光照射による肌の活性化が十分に行われ、かつ、光の照射が過剰になる前の状態である。
【００９０】
ステップＳ１５００において、動作決定部３２０は、選択中のブロックの発光素子ユニットの光照射を停止または抑制させる。なお、この際、動作決定部３２０は、発光素子ユニットの光の強度を、漸減させることが望ましい。これは、隣接する他のブロックでは、発光が継続されている隣接する他のブロックとの間で、照射される光の強度の差が急激に大きくなることにより、血流のバランスが崩れるのを防ぐためである。漸減のペースは、例えば、１分毎に半減する程度である。
【００９１】
そして、ステップＳ１６００において、動作決定部３２０は、今回の周期において、未だ選択していない、光照射中のブロックが存在するか否かを判断する。動作決定部３２０は、未選択の光照射中のブロックが存在する場合（Ｓ１６００：ＹＥＳ）、処理をステップＳ１７００へ進める。動作決定部３２０は、未選択の光照射中のブロックが存在しない場合（Ｓ１６００：ＮＯ）、処理をステップＳ１８００へ進める。
【００９２】
ステップＳ１７００において、動作決定部３２０は、未選択の光照射中のブロック５４０の中から１つを選択して、ステップＳ１３００へ戻る。
【００９３】
ステップＳ１８００において、動作決定部３２０は、光照射中のブロックが存在するか否かを判断する。動作決定部３２０は、光照射中のブロックが存在する場合（Ｓ１８００：ＹＥＳ）、処理をステップＳ１２００へ戻す。また、動作決定部３２０は、光照射中のブロックが存在しない場合（Ｓ１８００：ＮＯ）、一連の処理を終了する。
【００９４】
このような動作により、光美容器具１００は、ブロック毎に、光照射によって肌の活性化が十分に行われたか否かを周期的に監視し、光の照射が過剰になる前に光照射を停止させることができる。
【００９５】
＜光美容器具の効果＞
以上のように、本実施の形態に係る光美容器具１００は、肌のどの部分にどの程度の光の照射を行えば良いのかをユーザが判断することなく、肌の各部分に対し、その部分の状態に応じて、適切な強度で光照射を行うことができる。
【００９６】
したがって、本実施の形態に係る光美容器具１００は、顔全体の肌の状態が不均一であっても、過剰な光照射を防ぎつつ、顔全体の肌をバランスよく活性化することができる。すなわち、本実施の形態に係る光美容器具１００は、肌の活性化を効果的に行うことができる。
【００９７】
また、本実施の形態に係る光美容器具１００は、肌の活性化に有効な色だけでなく、アクネ菌の殺菌効果を有する青色域の光をも照射するので、特に若年層のユーザの満足度を向上させることができる。
【００９８】
また、本実施の形態に係る光美容器具１００は、両手が空いた状態で光照射を行うことができるため、他の作業や動作を行いながら使用することができる。
【００９９】
また、本実施の形態に係る光美容器具１００は、光源から肌までの距離が短いため、同じ照射量を得るのに電力消費量を抑えることができ、環境に配慮した光美容を実現することができる。
【０１００】
また、本実施の形態に係る光美容器具１００には、赤色域の光についても照射を行うため、例えば、眉毛、睫毛、額の毛髪の生え際、髭等について、発毛および育毛を促進するという、付随的な効果が得られる。また、光美容器具１００を、後述のように、顔以外の身体の部分を覆うシートに適用した場合、例えば、胸毛の発毛および育毛を促進することも可能である。
【０１０１】
＜光美容器具の変形例＞
なお、動作決定部３２０は、肌状態に基づいて、ブロック毎に、照射する光の種類（色）、および、光の初期放射照度を、決定してもよい。
【０１０２】
この場合、光美容器具１００は、動作決定部３２０が、各色の発光素子毎に個別に動作を制御することができるように、構成される。情報格納部３１０は、肌状態と各発光素子が行うべき動作とを対応付けて記述したテーブルを、予め格納する。肌状態センサは、テーブルに記述された肌状態にあるか否かを検出することが可能なセンサである。動作決定部３２０は、肌状態センサの検出結果に基づき、テーブルを参照して、各発光素子の動作を決定する。
【０１０３】
例えば、肌のシミは、各部の肌の色を比較することにより、検出することが可能である。特に、青色光を照射した状態で検出を行うと、肌の奥深くにできたシミをも精度良く検出することが可能である。そして、シミは、黄色域の光を照射することによって、軽減することが可能である。
【０１０４】
そこで、肌状態センサは、色調センサを含み、肌の色調を検出するようにしてもよい。色調センサとしては、例えば、ＲＧＢそれぞれの波長の光の強度を光センサによって測定するものや、非特許文献２に記載の、有機半導体によりＲＧＢの３原色を捉えることができるデバイスを採用することができる。非特許文献２に記載の色調センサは、印刷により微細に作成することが可能である。
【０１０５】
この場合、動作決定部３２０は、検出された各部の肌の色調を比較し、ブロックごとに、シミの有無およびシミの程度を判定する。そして、動作決定部３２０は、判定結果に応じて、各ブロックの黄色域の光の強度を決定する。すなわち、動作決定部３２０は、シミの度合いが強いブロックに対しては、他のブロックよりも、例えば所定の閾値を高くすることによって照射時間を長くする等、光の照射量が高くなるようにする。
【０１０６】
肌の状態に応じて光照射の制御を異ならせる場合、情報格納部３１０は、例えば、肌の状態を示す情報と、色域毎の、放射照度、肌の活性化の上限に対応する閾値、最大照射時間等とを、対応付けて記述したテーブルを、予め格納している必要がある。
【０１０７】
また、肌状態センサが色調センサを含む場合、動作決定部３２０は、肌の色の変化の度合いが、所定の閾値に達したことを条件として、各ブロックの発光を抑制または停止するようにしてもよい。肌の色は、肌の血行（くすみ）の状態、つまり、肌の活性化の度合いを示すからである。
【０１０８】
また、肌状態センサが色調センサを含む場合、色調センサは、発光素子ユニット以外の光源からの光を用いて、肌の色調を検出してもよい。色調センサは、撮像を行うものではないため、化粧台の照明光等の、周囲からの光が肌に当たれば、分光分析を行うのに十分な反射光が得られるからである。この場合、シート部材２１０は、光透過性を有する必要がある。
【０１０９】
なお、色調センサは、肌の反射光を捉えるようにするため、肌に密着しないようにシートデバイス２００に設けられていることが望ましい。
【０１１０】
図９は、色調センサを用いた場合のシートデバイス２００の断面の一例を示す図である。なお、ここでは、シートデバイス２００の全体のうち代表的な部分のみを図示する。
【０１１１】
図９に示すように、発光素子２３１の発光面２３２の位置は、シート部材２１０の肌に密着する側の面（以下「密着面」という）２１１の位置に、ほぼ一致している。これに対し、肌状態センサ２２０（色調センサ）の受光面２２１は、シート部材２１０の密着面２１１の位置よりもシート部材２１０の内部側に、位置している。例えば、肌状態センサ２２０は、シート部材２１０の密着面２１１が肌に密着した状態において、受光面２２１が肌から１００マイクロメートル程度離隔するように配置されている。
【０１１２】
なお、色調センサを用いる場合、全てのブロックにおいて、各色の発光素子の出力バランスが所定のバランスとなっている必要がある。このため、動作決定部３２０は、各色の発光素子の出力についてのキャリブレーションの機能を有することが望ましい。かかるキャリブレーションは、例えば、白紙をシート部材２１０の密着面２１１に当てたときの、色調センサの検出値が、所定の値に近付くように、各発光素子の出力を調整することにより、行われる。
【０１１３】
また、肌の活性化の度合いは、血流値あるいは肌の色の変化以外に、例えば、肌の温度の変化にも表れる。したがって、光美容器具１００は、肌状態センサとして、温度センサを用い、検出された肌の温度の変化に基づいて、光照射を停止するようにしてもよい。この場合、例えば、光照射の停止の判定基準は、１度の温度上昇を採用することができる。血流値では相対値で判定を行うのに対し、温度では絶対値で判定を行うことが望ましい。また、温度センサとしては、例えば、有機薄膜トランジスタの有機分子層をフタロシアニンナノサイズ構造物で形成した温度センサを採用することができる（例えば、特許文献７参照）。
【０１１４】
また、光美容器具１００は、血流値の変化と温度の変化との両方を条件に用いて、光照射を制御してもよい。また、この場合、光美容器具１００は、瞼の部分については、温度の変化の差分が所定の閾値を超えた場合に、血流値の変化の度合いによらず、光照射を停止することが望ましい。高温になることによる肌への負担を回避するためである。なお、光美容器具の故障により高温になる場合もあり得るため、このような温度変化による光照射の停止は製品の安全性にも貢献する。
【０１１５】
また、以上説明した実施の形態２における制御部３００の機能の一部または全部は、携帯電話機等、他の機能を主目的とする装置に配置されていてもよい。
【０１１６】
また、上記機能は、ネットワーク上のサーバに配置されていてもよい。すなわち、光美容器具の一部の機能をクラウド化してもよい。この場合、動作決定部は、少なくとも通信部を備え、かかるサーバに肌状態のデータを送信して、光照射の停止のタイミングを取得する必要がある。
【０１１７】
また、光美容器具１００は、顔だけでなく、身体の他の部分を覆うシートに適用することができる。例えば、光美容器具１００を用いることにより、日焼け等により背中に斑状にできたシミの軽減を、効果的に行うことができる。
【０１１８】
また、光美容器具１００は、ブロック毎に、そのブロックについての動作のみを行う動作決定部３２０を設けてもよい。
【０１１９】
（本開示のまとめ）
本開示の光美容器具は、肌に貼り付けることが可能なシート部材と、前記シート部材に配置され、近傍の肌の状態を検出する肌状態センサと、前記シート部材の、前記肌状態センサの位置と対応する位置に配置され、前記肌状態センサの検出情報に基づいて動作する発光素子ユニットと、を有し、前記発光素子ユニットは発光波長の異なる複数の発光素子を含む。
【０１２０】
また、前記発光素子ユニットは、発光を開始してから前記肌状態センサの検出情報の変化の度合いが、所定の閾値に達したことを条件として、前記発光を抑制または停止してもよい。
【０１２１】
また、前記肌状態センサは第１肌状態センサであり、前記発光素子ユニットは第１発光素子ユニットであり、前記シート部材は、前記シート部材の異なる位置に配置された複数の肌状態センサ含み、前記複数の肌状態センサの各々は近傍の肌の状態を検出し、前記シート部材は、前記シート部材の異なる位置に配置された複数の発光素子ユニットを含み、前記複数の発光素子ユニットの各々は、前記複数の肌状態センサに含まれる少なくとも1つの肌状態センサの位置に対応する位置に配置され、前記複数の発光素子ユニットの各々は対応する少なくとも１つの肌状態センサの検出情報に基づいて動作し、前記複数の肌状態センサは第１肌状態センサを含み、前記複数の発光素子ユニットは前記第１発光素子ユニットを含んでもよい。
【０１２２】
また、前記シート部材は、顔の所定の位置に取り付けられ、前記第１発光素子ユニットは、前記シート部材が前記所定の位置に取り付けられた状態において、肌の活性化を促す所定の光を、前記第１発光素子ユニットの近傍の肌に照射し、前記第１肌状態センサは、前記シート部材が前記所定の位置に取り付けられた状態において、前記近傍の肌の状態として、前記肌の血流値および前記肌の温度のうち少なくとも１つを検出し、前記所定の閾値は、対応する前記検出情報の変化の前の前記肌の状態を基準として、前記複数の発光素子毎に定まる値であってもよい。
【０１２３】
また、前記シート部材は第１領域と、前記第１の領域と異なる第２の領域を含み、前記第１領域は前記顔の瞼部分に対応し、前記複数の発光素子は第２発光素子ユニットと第３発光素子ユニットを含み、前記第２発光素子ユニットは前記第１領域に配置され、前記第３発光素子ユニットは前記第２領域に配置され、前記第２発光素子ユニットに含まれる第２発光素子の光の強度は、前記第３発光素子ユニットに含まれる前記第２発光素子に対応する第３発光素子光の強度よりも小さく、前記第２発光素子に対応する所定の閾値は、前記第３発光素子に対応する所定の閾値よりも小さくもよい。
【０１２４】
また、前記複数の発光素子の各々は、前記発光を停止する際、前記光の強度を漸減させてもよい。
【０１２５】
また、前記シート部材は複数の分割領域を含み、前記複数の分割領域の各々は、前記複数の肌状態センサに含まれる少なくとも１つの肌状態センサを含み、前記複数の分割領域の各々は、前記複数のユニットに含まれる少なくとも１つの発光素子ユニットを含み、動作決定部は分割領域に含まれる発光素子ユニットの動作を、前記分割領域に含まれる肌状態センサの検出情報に基づいて決定する動作決定部を含んでもよい。
【０１２６】
また、前記発光素子ユニットは、青色発光ＬＥＤを含み、前記肌状態センサは、前記シート部材が前記所定の位置に取り付けられ、前記青色発光ＬＥＤが発光した状態において、前記肌の状態として、前記肌の色調を検出し、前記動作決定部は、前記色調に基づいて、前記発光素子ユニットの発光強度を決定してもよい。
【０１２７】
また、前記シート部材は前記動作決定部にコネクタおよびケーブルで着脱可能に接続されてもよい。
【０１２８】
本開示の光美容方法は、肌に貼り付けることが可能なシート部材に配置された肌状態センサ近傍の肌の状態を検出するステップと、前記シート部材の、前記肌状態センサの位置と対応する位置に配置された発光素子ユニットを、対応する前記肌状態センサの検出情報に基づいて動作させるステップとを含む。
【産業上の利用可能性】
【０１２９】
本開示は、肌の活性化をより効果的に行うことができる光美容器具等として有用である。
【符号の説明】
【０１３０】
１００  光美容器具
２００  シートデバイス
２１０  シート部材
２２０  肌状態センサ
２３０  発光素子ユニット
２３１  発光素子
３００  制御部
３１０  情報格納部
３２０  動作決定部
４００  ケーブル
４０１  コネクタ
５３１  伸縮性母材
５３２  ゲート電極層
５３３  ゲート絶縁層
５３４  有機分子層
５３５  ソース電極
５３６  ドレイン電極
【図１】
2015142717.tif 000003
【図２】
2015142717.tif 000004
【図３】
2015142717.tif 000005
【図４】
2015142717.tif 000006
【図５】
2015142717.tif 000007
【図６】
2015142717.tif 000008
【図７】
2015142717.tif 000009
【図８】
2015142717.tif 000010
【図９】
2015142717.tif 000011